(57)【要約】 【課題】  従来のウェットシートやパックシート等のシートを平袋に個別収納した場合には、該シートを摘む指先だけではなく、他の指や手の平及び甲までも平袋の中に指を入れる際に化粧料等によって汚される。これを解消すること、及び、平袋から取り出したシートを拡げて使用するために、折り畳まれたシートを拡げる操作を簡単にすることで、さらに指が汚れることなく、取り出したシートを速やかに顔面に確実に貼ることができるようにすることも本発明の課題である。 【解決手段】  表面側に２枚のフィルムを封止してなる合掌部が設けられた平袋であって、合掌部を形成する封止部が合掌部の全長にわたって合掌部の基部に形成され、合掌部の端部が封止されておらず非封止部を形成し、かつ該非封止部を構成する２枚のフィルムの一方の端縁は他方の端縁よりも長く形成されている、液体が含浸されたシート状物が収納されてなる平袋。【選択図】  図３
2014088213.tif 000002
【特許請求の範囲】
【請求項１】
表面側に２枚のフィルムを封止してなる合掌部が設けられた平袋であって、合掌部を形成する封止部が合掌部の全長にわたって合掌部の基部に形成され、合掌部の端部が封止されず非封止部を形成し、かつ該非封止部を構成する２枚のフィルムの一方の端縁は他方の端縁よりも長く形成されている、液体が含浸されたシート状物が収納されてなる平袋。
【請求項２】
該封止部の形状は非封止部側に向けて凸部を有する形状である請求項１に記載の液体が含浸されたシート状物が収納されてなる平袋。
【請求項３】
該平袋に収納されるシート状物は、その端部が折り曲げられており、折り曲げられた端部は該平袋の表面側又は裏面側に位置するように配置されてなる、請求項１又は２に記載の液体が含浸されたシート状物が収納されてなる平袋。
【請求項４】
液体が含浸されたシート状物は畳まれて収納されており、その畳まれたシート状物は、畳まれる前のシート状物が観音折りされ、次いで、その合わせ目が内側になり、かつ観音折りの折り目に垂直の折り目が形成されるように折り曲げられてなり、該観音折りされてなる折り目が合掌部と平行に、さらに観音折りにより形成された合わせ目が該合掌部側に向かないようにして袋内に配置されてなる請求項３に記載の液体が含浸されたシート状物が収納されてなる平袋。
【請求項５】
液体が含浸されたシート状物は畳まれて収納されており、その畳まれたシート状物は、畳まれる前のシート状物が２つ折りされ、その２つ折りの折り目に垂直な２本の線を折り目として観音折りされてなり、該観音折りされてなる折り目が合掌部と平行に、かつ観音折りにより形成された合わせ目が該合掌部側に向いて袋内に配置されてなる請求項３に記載の液体が含浸されたシート状物が収納されてなる平袋。
【発明の詳細な説明】
【技術分野】
【０００１】
本発明は、シート状物が収納されてなる平袋に関する。
好適には、液状化粧料や薬液等を含浸させたウェットシートやパックシート等が収納されてなるシート収納平袋に関する。
【背景技術】
【０００２】
例えば化粧料や薬液等をウェットシートやパックシート等に含浸させて、そのウェットシートやパックシート等を平袋内に個別包装し、使用時にはその包装を開封して内部のウェットシートやパックシート等を取り出せるようにすることが知られている。このような個別包装は複数のウェットシートやパックシート等を一つにして包装するよりも、乾燥、細菌の繁殖や汚れの付着を防止できる。
【０００３】
しかしながら、個別包装した場合には、使用時に１枚ずつその平袋の包装を開封する必要がある。開封の際には指で切り取るための三角の切り欠き部等を設けた平袋の端部を開け、形成された開口部から指や手を入れ、指先で平袋内部のウェットシートやパックシート等を摘み、そのまま取り出し、通常は折り畳まれたウェットシートやパックシート等を摘み上げた状態にて指で開いて、顔面等の使用する箇所を覆うものである。
ウェットシートやパックシート等は液体が含浸されているので、折り畳まれた状態のものを展開するには、折り畳み片等同士が付着したりして、簡単に展開することができなかった。
さらに、使用する前に、特に開封された包装の端部から指や手を入れる際には、包装の平袋の内部に付着する化粧料や薬液が、ウェットシートやパックシート等を摘む指以外の指や、手の平、手の甲にも付着することになる。
そうすると、ウェットシートやパックシート等の使用時において、その摘む指以外の指や、手の平、手の甲等の広い範囲に付着した化粧料や薬液をティッシュぺーパー等で拭き取る等をしなければならず、使用性に優れないものであった。
また摘み上げた状態にてウェットシートやパックシート等を拡げると、意図せずしわができたり、弱いシートであると破れる可能性があったり、さらに摘み上げた状態にてシートを拡げることはその作業性に劣るものであった。
【０００４】
加えて、特に小面積のウェットシート類（例えば、ポイントケア用のパッド類、ポイントマスク類）を平袋等の袋状物に個別包装した場合においては、その袋状物が開けられてなる開口部も狭いので、該小面積のウェットシート類を指によって取り出す際には、差し入れた指の広い範囲に化粧料や薬液が付着するのでさらに使用性が悪化する。
【先行技術文献】
【特許文献】
【０００５】
【特許文献１】特開２０１１−１７２７３２号公報
【発明の概要】
【発明が解決しようとする課題】
【０００６】
上記したように、従来のウェットシートやパックシート等のシートを袋に個別収納した場合には、シートを平袋から取り出す操作性は満足できるものではなく、該シートを摘む指先だけではなく、他の指や手の平及び甲までも平袋の中に指を入れる際に化粧料等によって汚されることになる。このため、平袋からシートを取り出す際にシートを摘む指先以外は可能な限り汚れないようにすることを本発明の課題とする。
加えて、袋から取り出したシートを拡げて使用するために、折り畳まれたシートを拡げる操作を簡単に確実に行うことで、さらに指が汚れたりシートが破れたりしわができたりすることなく、取り出したシートを速やかに顔面等に確実に貼ることができるようにすることも本発明の課題である。
【課題を解決するための手段】
【０００７】
本発明は、ウェットシートやパックシート等のシートを収納する特定の収納袋を採用することにより上記の課題を解決するものであり、具体的には以下の手段を採用する。
１．表面側に２枚のフィルムを封止してなる合掌部が設けられた平袋であって、合掌部を形成する封止部が合掌部の全長にわたって合掌部の基部に形成され、合掌部の端部が封止されず非封止部を形成し、かつ該非封止部を構成する２枚のフィルムの一方の端縁は他方の端縁よりも長く形成されている、液体が含浸されたシート状物が収納されてなる平袋。
２．該封止部の形状は非封止部側に向けて凸部を有する形状である１に記載の液体が含浸されたシート状物が収納されてなる平袋。
３．該平袋に収納されるシート状物は、その端部が折り曲げられており、折り曲げられた端部は該平袋の表面側又は裏面側に位置するように配置されてなる、１又は２に記載の液体が含浸されたシート状物が収納されてなる平袋。
４．液体が含浸されたシート状物は畳まれて収納されており、その畳まれたシート状物は、畳まれる前のシート状物が観音折りされ、次いで、その合わせ目が内側になり、かつ観音折りの折り目に垂直の折り目が形成されるように折り曲げられてなり、該観音折りされてなる折り目が合掌部と平行に、さらに観音折りにより形成された合わせ目が該合掌部側に向かないようにして袋内に配置されてなる３に記載の液体が含浸されたシート状物が収納されてなる平袋。
５．液体が含浸されたシート状物は畳まれて収納されており、その畳まれたシート状物は、畳まれる前のシート状物が２つ折りされ、その２つ折りの折り目に垂直な２本の線を折り目として観音折りされてなり、該観音折りされてなる折り目が合掌部と平行に、かつ観音折りにより形成された合わせ目が該合掌部側に向いて袋内に配置されてなる３に記載の液体が含浸されたシート状物が収納されてなる平袋。
【発明の効果】
【０００８】
本発明のシート状物が収納されてなる平袋は、使用前の保存時に内蔵する化粧料や薬液が含浸されたウェットシートやパックシート等が密閉され、乾燥や変質を防止しながら、個別包装されてなるものであり、使用時において、該シート収納平袋を特定の手段により開封できることにより、該シート収納平袋からウェットシートやパックシート等のシートを、指や手を過度に汚すことなく簡単に取り出すことができ、さらに取り出されたシートを過度に指を汚さないようにして簡単・確実に展開することができる。
【図面の簡単な説明】
【０００９】
【図１】パックシートを折り畳む工程の図
【図２ａ】平袋にパックシートを挿入した状態の図
【図２ｂ】平袋にパックシートを挿入した状態の図
【図２ｃ】平袋にパックシートを挿入した状態の図
【図２ｄ】平袋にパックシートを挿入した状態の図
【図３】平袋を開封する前の図
【図４】開封した平袋からパックシートを取り出す図
【図５】折り畳まれたパックシートの図
【図６】パックシートが拡げられる状態の図
【図７】平袋を開封した後の別の例を示す図
【図８】パックシートを一部開いた図
【図９】パックシートを持ち上げる前の図
【図１０】パックシートを持ち上げる途中の図
【図１１】パックシートをほぼ持ち上げた状態の図
【図１２】パックシートを持ち上げた図
【発明を実施するための形態】
【００１０】
本発明は、シート状物が収納されてなり、表面側に合掌部を設けてなる平袋であって、該合掌部を基にして該平袋を開封するようにしてなるものである。なお、化粧料や薬液を含浸させてなるパックシート及びウェットシートを合わせてシート又はシート状物という場合がある。
【００１１】
本発明を２つの具体例の図に基づき説明する。
（第１の具体例）
図１は本発明のシート収納平袋内に収納されるシート状物の一例であるパックシート１である。
まず、図１（ａ）はパックシート１を示す。この図において、パックシート１の目を当てる穴の横を縦に伸びる２本の２点鎖線αにて谷折りをすることにより観音折りし、図１（ｂ）に示す状態とする。
図１（ｂ）においては、パックシート１の鼻部の下に横に伸びる２点鎖線βを谷折りすることにより図１（ｃ）で示される状態とする。その結果、観音折りされてなるパックシート１の合わせ目を内側として、観音折りの折り目に垂直な折り目が形成される。さらにこれを反転したものが図１（ｄ）で示される。
もちろん、パックシートの折り方は図１に示す折り方に限定されず、また、その形状も限定されない。後ほど説明するように、取り出したパックシートを展開しやすい折り方であれば特に限定されない。
【００１２】
このようにして、折り畳まれたパックシートやウェットシートを図２ａに示すようにしてシート収納平袋Ｐ内に収納する。図２ａはシート状物が開口部８から該平袋Ｐ内に挿入され、密封される前の段階を示す図である。この挿入する手段は、公知の手段を任意に採用することができる。この状態において、上記２点鎖線αにより観音折りされてなる折り目が合掌部５と平行になり、さらにその観音折りにより形成された合わせ目が該合掌部５に向かないようにして該平袋Ｐ内に配置されている。
図２ａに示すシート収納平袋Ｐは、その３方である２、３及び４の３辺をヒートシールや接着等によって封止してなる。もちろんシート収納平袋Ｐの材料フィルムの折り畳みかたによっては、３辺を封止すること無く、１辺あるいは２辺を材料のフィルムを折り曲げることのみにより形成した辺で構成しても良い。そのようなフィルムは公知の平袋の材料であってもよく液体内容物を透過しないものである。
【００１３】
要は、シート収納平袋Ｐの一方にパックシートやウェットシートの素材を挿入できる開口部８を設けておき、かつ２枚のフィルムを封止してなる合掌部５を設けると共に、２、３及び４の三方をヒートシール等で封止、あるいは材料フィルムの折り曲げ部としておくことが必要である。ここで、２枚のフィルムとしているが、合掌部を形成できるフィルムであれば良く、文言通り２枚のフィルムを封止して合掌部を形成してもよい。
ここで合掌部５の構造としては、合掌部５がシート収納平袋Ｐに接合される基部に、その合掌部５を形成させるためにヒートシールや接着による封止部６を設けてなる。
ここで該封止部６は、合掌部５全てを封止してなるのではなく、合掌部５側部には封止部７を設けることは任意であるが、該封止部６より外側、つまり合掌部５の下記段差部Ａ側に非封止部９を設けることが必要である。
シート状物をシート収納平袋Ｐに収納した後、開口部８をヒートシールや接着等の公知の手段によって封止して、シート状物が収納されてなる平袋を製造する。
なお、ここでいう合掌部の基部とは、合掌部の端部以外の部分を有し、合掌部の端部とは、合掌部が形成される前の２枚のシートの端部を含む、平袋の全長に沿った合掌部の全長にわたって封止されていない部分をいう。
【００１４】
また、図２ａに示す封止部６のように、合掌部５に沿って直線状に合掌部を形成することができ、また図２ｂに示すように、合掌部５の全部に沿って封止部６を角が落とされた略三角状を繰り返した封止部とすることができる。略三角状に設ける場合であっても、その頂点Ｔの外には、図２ａに示す場合と同様に非封止部９を設けることが必要である。また略三角状ではなく波状とするともできる。
合掌部５の一部に略三角状や波状の封止部を設ける際には、合掌部の長さ方向の中間部や一方の辺２に近い位置に設けることができる。このなかでも、合掌部の長さ方向の中間部、つまり、辺２及び３からの中間位置に設けることが、より円滑に開封する点で好ましい。
また非封止部を設けることによって、指で合掌部を開ける際に、まず非封止部を開けながら、まず略三角状の封止部の頂点Ｔに開封のための合掌部を開く力が加わるので、より弱い指の力で合掌部を引っ張っても、簡単に封止部６を開封することが可能になる。
【００１５】
なお、図２ｂでは直線状の角が落とされた略三角状としたが、封止部６の形状を波状としてもよく、角を落とさない略三角状としてもよい。また規則的な略三角状や波状を繰り返してもよく、またはこれらの形状を不規則なものとしてもよい。
要は開封時に合掌部を開ける力が略三角や波状の封止部７の頂点Ｔに加わることが必要である。
このように、封止部６の形状を、例えば図２ｂにて示す略三角状を繰り返した形状や波状とした際には、その略三角や波の高さは５〜２０ｍｍ、好ましくは８〜１５ｍｍとすることができる。さらに繰り返される略三角や波状の周期Ｃは５〜２０ｍｍ、好ましくは８〜２０ｍｍとすることができる。
【００１６】
さらに封止部６は上記のような周期を備えた形状を有しても良いが、例えば図２ｃに示すように、封止部６の形状を中央に向けて高くなるような１つの山形の形状とすることができる。さらに図示はしないがこのような山形の形状を２つ以上並べて設けることも可能である。
別の例としては、図２ｄに示すように、図２ａに示した封止部６の形状を基礎として、その略中央部、あるいは他の箇所に、封止部６に凸部形状をした封止部である頂点Ｔを設けることができる。
これらの図２ｃ及び図２ｄによれば、合掌部を開ける際に、まず封止部の山の頂点である凸部に力がかかる。その凸部は封止する面積が小さいため、この部分を剥がすために必要な力はより少なくて済む。
このように封止部の形状を非封止部側に向けて凸部等の頂点を設けた形状とし、この頂点を最初に開けることによって、封止部６全体を開けるために必要な力をより削減させることができる。
なお、該頂点Ｔは本発明中の凸部の１種であり、また、上記のように封止部を略三角ではなく波状とした場合においては、その波の頂点を凸部の１種とし、さらに上記の図２ｄに示す封止部に設けた頂点も凸部とすることができる。
【００１７】
例えば、図２ａにおいて、開口部８を封止し、２の辺又は４の辺を開口部とし、その開口部からシート状物を挿入してもよい。この場合には、１枚のフィルムを折り曲げ、必要に応じて封止しながら、合掌部５を形成しておくこともできる。このときには、合掌部５は実質的には１枚のフィルムの両端部を封止して形成される。
これらの封止部を設けるための手段としては、ヒートシールや接着等による公知の各手段を採用できる。
【００１８】
次いで図３以降に本発明のシート状物が収納されてなる平袋を開けて使用するまでを説明する。
図３はシート状物が収納されてなる平袋の合掌部５の非封止部９を拡げるようにして指先を入れている図である。ここで該非封止部９は該封止部６に隣接し、平袋を構成する材料の２枚のフィルムが封止されていない部分であるが、その２枚のフィルムの封止部６からの高さは同じではなく、２枚のフィルムの内の一方の部材が他方の部材よりも高さが高くされており、図３においては、ある高さｈ１の段差部Ａが形成される。
該封止部９に指先を入れる際には、その段差部Ａがない場合よりも、十分に段差部Ａが設けられている方が、指先にて段差部Ａをなぞるようにして確認しつつ、非封止部９を開くきっかけを掴むことができ、より円滑に非封止部９に指先を入れることが可能になる。
このような段差部Ａの高さｈ１は３〜１０ｍｍ、好ましくは５〜８ｍｍである。３ｍｍより段差部が小さいと、非封止部９を開くきっかけを掴むことが困難となる可能性が高くなり、１０ｍｍより大きくても十分に指先を入れやすくなる以上の効果を望めない。
なお、この段差部Ａは、封止部６がどのような形状であっても設けられる。
【００１９】
同時に非封止部９の高さ、つまりｈ２も十分になければならず、非封止部９の高さｈ２が低いと、指先を十分に非封止部９に入れることができないので、その後に非封止部９を開くために指先で十分に非封止部９を掴むことが困難になる。その非封止部９の高さｈ２は、封止部６との境界線から、段差部Ａを形成する２枚のフィルムのうちの低い方のフィルムの端部までの長さである。そのような非封止部９の高さｈ２は５〜１５ｍｍであり、好ましくは５〜１０ｍｍである。非封止部９の高さｈ２が５ｍｍよりも低いと、非封止部に操作性を悪化させずに指を入れることが困難になる可能性があり、１５ｍｍよりも大きくても、それ以上に操作性を改善することはない。
なお、封止部６が略三角状や波状である場合には、その頂点Ｔの先端から段差部Ａを形成する２枚のフィルムのうちの低い方のフィルムの端部までの長さを非封止部９の高さｈ２とする。
【００２０】
そのような非封止部９を掴んだ後、両手のそれぞれの指で非封止部９を形成する２枚のフィルムの片を摘み、それぞれのフィルムの片を矢印方向に引くことにより、非封止部９に隣接する封止部６のヒートシールや接着が互いに剥がれて、封止部６の封止状態が解消されて、この封止部６に開口が形成され、さらに矢印方向に引くことによって、辺２及び辺４のヒートシール部や接着部も剥離して展開されることにより該開口部が拡大する。
このとき、封止部６が略三角状や波状の場合には、非封止部９を掴んだ後、両手のそれぞれの指で非封止部９を形成する２枚のフィルムの片を摘み、それぞれのフィルムの片を矢印方向に引くことにより、上記のように、封止部６のヒートシールや接着が、まずその頂点Ｔやその付近から剥がされる。このとき、最初に頂点Ｔやその付近から剥がされるヒートシールや接着された箇所の面積は小さいので、剥がす際に必要な力はより小さくてよい。
【００２１】
図４はこのようにして開口部を拡大し、辺２及び辺４を十分に剥離して展開が終了した状態である。
展開が終了した状態においては、展開された平袋の上に収納物である折り畳まれたパックシートやウェットシートが載置された状態となる。その折り畳まれたパックシートやウェットシートを両手あるいは片手で摘み、引き上げることによって、結果的に平袋から折り畳まれたパックシートやウェットシートを取り出すことができる。
図４において引き上げられたパックシートの例を図５に示す。
図５に記載のパックシート１は、○印で示す箇所を指で摘むことによって、折り畳まれてなる折り目が元に戻り、拡げられてパックシートとなるものである。
その状態を図６に示す。図６（ａ）は指で持ち上げられたパックシートが拡げられる途中であり、折り畳まれたパックシートは自重、あるいは収納時に付けられた折り目が元へ戻る作用によって図６（ｂ）に示すように拡げられていく。そのようにして拡げられたパックシートは図６（ｃ）に示すように、顔面に載せることができる状態にまでに拡げられる。
もちろん、十分にパックシートやウェットシートが拡がらない場合には別の指等で拡げる等の操作を行うこともできる。
【００２２】
（第２の具体例）
第２の具体例は、第１の具体例に対して、平袋の構造は同じであるが、収納されるシート状物の折り曲げ方、及び配置が異なる例である。
具体的には、図７のように、合掌部をもとにして平袋が開けられた状態において、収納されているパックシートやウェットシートは、観音折りされて形成された合わせ目２１が表側になるように２つのシート片２２が折り曲げられている。
ここで、この折り曲げ方は、図１のパックシートにおいて２点鎖線βを先に谷折りし、次いで２点鎖線αを谷折りして得られる折り方である。
その後、使用者によって、その折り曲げられていたシート片２２が展開されて図８にて示す状態となる。この図８の状態とするには、図７の状態においてシート片２２の端部を指で摘み両側に拡げるようにして、開けられた平袋の上に展開される。この段階までは開けられた平袋の上にて操作されることになる。この状態において２つ折りされているパックシートやウェットシートの端部２３は、折り曲げられて上層となったパックシートやウェットシートが、平袋の内面と直接的に接している下層よりもはみ出た状態となることで、その後パックシートやウェットシートを摘みやすくなり、より好ましい。
【００２３】
続けて、図９に示すように、使用者によって、上層の該端部２３が摘まれて、上方に引き上げられることにより、折り畳まれたパックシートやウェットシートが展開される。このとき、下層のパックシートやウェットシートは、含浸されている化粧料や薬液が有する
粘性等によって平袋に付着しているので、下層のパックシートやウェットシートまでもが上層と共に引き上げられることはないために円滑に展開される。
そのようにして上層の端部２３が引き上げられる途中の状態が図１０にて示される。この状態ではパックシートやウェットシートの略半分が平袋の内面に付着しており、使用者によって摘み上げられた残りの半分が持ち上げられている。
【００２４】
そのままパックシートやウェットシートを摘んだ指を引き上げることにより、図１１に示すようにパックシートやウェットシートが持ち上げられ、最後には図１２に示すようにしてパックシートやウェットシートが完全に平袋から取り出される。
使用者はパックシートやウェットシートをこの図１２の状態で、例えば持ち変えることなく、そのままの状態で顔面を覆うことができる。
この第２の具体例によると、平袋の合掌部を開いて、端部２３を開いた指をそのまま離したり、持ち替えたりせずに、パックシートやウェットシートを取り出して使用することができるので、パックシートやウェットシートを平袋から取り出して使用するまでを簡単かつ確実に行うことができ、他の指等を汚すこともない。
【００２５】
これらの図における例は、平袋の辺２及び辺４が剥離可能な程度にヒートシール及び接着等されることにより一体化されたフィルムからなる例である。本発明の平袋のように、非封止部９を拡げることをきっかけにして、辺２及び辺４が剥離されていく場合には、辺３は必ずしもヒートシールや接着することにより形成される必要はなく、１枚のフィルムを折り曲げることにより形成された辺でもよい。
また、封止部６の大きさであるが、封止部６は本発明中の平袋が内容物を確実に封止することができるように、他の封止部と同様にある程度の接着面積と接着力を必要とする。封止部６は合掌部の基部に設けてもよいが、必要により、合掌部の端部に寄っていても良い。
非封止部９の大きさは、開封する際に封止部６の封止を開くことができる程度に、封止部６に図３の矢印方向の力を与えることができる程度の大きさを必要とする。
【００２６】
このような平袋の材料のフィルムとしては、平袋とすることができ、かつ湿潤したシート状物を気密に収納することが可能な公知の材料を採用することができる。その材料としては、複数の樹脂層からなる積層フィルム、アルミニウム等の金属層を有する積層フィルム等が挙げられる。
【００２７】
また、図に例示するようなパックシートではなく、その他の用途や顔の一部に使用されるパックシートやウェットシートであってもよく、本発明のシート収納平袋が収納するシートは全顔用のパックシートに限定されるものではない。
液体が含浸されたウェットシートであれば、化粧取り用シート、ウェットシート、ティッシュペーパー、建築物や車輌の窓や室内等の拭き掃除用シート、人やペットの手入れ用シート、おしぼりシート、殺菌・抗菌剤塗布用シート、各種薬液、洗浄剤等を含浸させたシート、粉体化粧料等の粉体を担持させたシート等、１枚ずつ取り出して使用できるシートであれば良い。
シートを構成する材料に関しても特に限定されるものではなく、折り曲げることが可能な程度の柔軟性を有し、折り端部を引っ張ることにより破れる等の破損を生じないことが必要である。
【００２８】
そのようなシートの材料は、紙、樹脂シート、金属シート、有機化合物または無機化合物からなる織布、不織布等の折り曲げることができるシート状物を構成するものであれば特に限定されず、湿潤していないシートでも良く、又湿潤されたウェットシートでもよい。湿潤していないシートであっても化粧用粉体や粉体の薬剤を付着させたシートであっても良い。
本発明において平袋に収納されるシートがウェットシートの場合、その基材としては、吸液性シートを基本素材とし、ニット、織物、不繊布のような繊維シート類、紙又は発泡体等を使用できる。発泡体シートの中では、ポリウレタン発泡体、ＮＢＲ発泡体等の吸液性や保液性に優れたスポンジシートも使用可能であるが、経済性、皮膚安全性からすれば、木綿、コットン、パルプ、レーヨンのような天然系繊維を主材とする繊維シートが好ましい。またその製造方法としては編み機や樹脂成形機を用いる方法、各種不織布形成法などの公知の方法を用いることができる。
【００２９】
他に、繊維シートや発泡体シートと合成樹脂シートとのラミネートシートのような積層体を使用することもできる。薄い合成樹脂を片側に積層したシートを基材とすると、ウェット状態であっても合成樹脂シートの撥水性により分離性をさらに向上できるので好ましい。
【００３０】
本発明におけるウェットシートの形状は、例えば円形、楕円形、勾玉形、多角形等任意の形状のものでよく、折り畳まれたウェットシートのほうが、指で摘んで引き上げた際に自然と折り畳み部が拡がり、展開させることができるので好ましいが、必ずしも折り畳まれていなくてもよい。折り畳むか否かにかかわらず、本発明によれば、拡げた袋を下に敷き、その上にパックシートやウェットシートを置くことができるので、使用時に本発明中の平袋を下敷き代わりに使用することが可能となる。
【００３１】
パックシートの場合には、含浸される液体が化粧料等であるが、ウェットシートの場合には、水、化粧水、薬液、洗浄剤等、特に限定されるものではなく、シート材料及びシート収納平袋を腐食させる等を起こさないものによって含浸されてウェットシートとされているものが良い。
本発明において、ウェットシートを収納する際に、含浸又は付着させる化粧料及び薬液、洗浄剤としては、公知の任意のものを使用することが可能である。性状としては、液状、ペースト状、クリーム状、ジェル状又は粉状いずれも使用可能であり、例えば基礎化粧品としての洗顔科、化粧水、乳液等があり、メーキャップ化粧品としての白粉、ファンデーション、頬紅類、芳香化粧品、美白剤、抗酸化剤、しわ防止剤、保湿剤、日焼け止め剤、てんか粉類、除毛剤、抗菌剤、殺菌剤、ニキビ治療剤など任意の各種化粧料、薬剤、界面活性剤等を対象とする。本発明で好ましく使用できる化粧料や薬液、洗浄剤等の剤型は、種々の粘度の液状物、ないしクリーム、ジェルのような半液状物が好適である。
【００３２】
化粧料及び薬液、洗浄剤の保持量は、ウェットシート基材重量の３０〜５００重量％の範囲が好ましい範囲である。液状の場合、３０重量％以下の使用量では、塗布量が少なく化粧料等の効率的な塗布効果が得られず、５００重量％を超える使用量ではウェットシートの保液能力以上となって、過剰の塗布液が垂れて平袋底部に溜まりやすくなる。
【符号の説明】
【００３３】
１；パックシート
２；辺
３；辺
４；辺
５；合掌部
６；封止部
７；封止部
８；開口部
９；非封止部
１０；封止部
１１；摘み部
２１；合わせ目
２２；シート片
２３；端部
【図１】
2014088213.tif 000003
【図２ａ】
2014088213.tif 000004
【図２ｂ】
2014088213.tif 000005
【図２ｃ】
2014088213.tif 000006
【図２ｄ】
2014088213.tif 000007
【図３】
2014088213.tif 000008
【図４】
2014088213.tif 000009
【図５】
2014088213.tif 000010
【図６】
2014088213.tif 000011
【図７】
2014088213.tif 000012
【図８】
2014088213.tif 000013
【図９】
2014088213.tif 000014
【図１０】
2014088213.tif 000015
【図１１】
2014088213.tif 000016
【図１２】
2014088213.tif 000017